(57)【要約】【課題】多くの設備コスト及びランニングコストをかけずに、空気中のミストに対する捕集及び回収効率の高いミスト回収装置を提供する。【解決手段】ミスト回収装置１０において、ダクト１２内を送風される空気が第１及び第２のプロペラ部１６，１８を通過すると、空気中のミストが各プロペラ２８Ａ，２８Ｂ，２８Ｃ，２８Ｄ…の羽根に付着する。各プロペラ２８Ａ，２８Ｂ，２８Ｃ，２８Ｄは自由回転する回転軸３０に固定されているため、送風された空気の流れに従って回転する。各プロペラ２８Ａ，２８Ｂ，２８Ｃ，２８Ｄに付着したミストは回転で生じた遠心力により吹き飛ばされてミスト回収溝２４を介してミスト抜取弁２６から排出される。【選択図】      図１
2005087852.tif 000002
【特許請求の範囲】
【請求項１】
多湿空気を送風するダクト内にミスト捕集手段を設けて、前記多湿空気中のミストを捕集し、捕集したミストを回収するミスト回収装置において、
前記ミスト捕集手段は、前記ダクトの軸心方向に回転自在に設けられた一本の回転軸に複数のプロペラが隣接して並列支持されるとともに、隣接するプロペラの羽根同士が前記軸心方向から見て前記回転軸の周方向にズレた状態で支持されることを特徴とするミスト回収装置。
【請求項２】
前記隣接するプロペラの羽根同士は、前記軸心方向から見て重なり合わないようにズレていることを特徴とする請求項１のミスト回収装置。
【請求項３】
前記プロペラは前記ダクトの垂直部位置に水平に設けられるとともに、前記プロペラの羽根は先端部が下方へ折曲していることを特徴とする請求項１又は２のミスト回収装置。
【発明の詳細な説明】
【技術分野】
【０００１】
本発明は、空気中のミストを捕集して回収するミスト回収装置に関する。
【背景技術】
【０００２】
従来、空気中に含まれる水などのミストをミスト捕集手段を用いて捕集してミストを回収するミスト回収装置は、様々な状況で多く用いられている。ミスト回収装置で使用されるミスト捕集手段としては、特許文献１のように空気中のミストを吸着させて回収するフィルタが多く採用される。また、特許文献２で開示されているミスト回収装置ではミスト捕集手段としてエリミネータを用いるため、空気の圧損を低減したミストの回収を行うことができる。さらに、特許文献３で開示されているミスト回収装置は熱交換器をミスト捕集手段として採用することにより、送風される空気を冷却して空気中のミストを凝集するので、効率よくミストを回収することができる。
【特許文献１】特開平５−２７７３１７号公報
【特許文献２】特開平９−２９９７２７号公報
【特許文献３】特開平９−２４３４６号公報
【発明の開示】
【発明が解決しようとする課題】
【０００３】
しかしながら、特許文献１のフィルタによるミストの回収では回収効率は高いが、送風時の空気抵抗が大きいため大きな送風動力を要するとともに、フィルタの定期交換が必要であるので手間やコストを要するという問題があった。
【０００４】
また、特許文献２のエリミネータによるミストの回収では送風時における空気抵抗の点ではフィルタに比べて小さいが、ミストの捕集率が低いという問題があった。
【０００５】
さらに、特許文献３の熱交換器によるミストの回収では回収効率は極めて高いが、大きな送風動力を要するとともに、多大な設備コスト及びランニングコストがかかるという問題があった。
【０００６】
本発明はこのような事情に鑑みてなされたもので、ミスト捕集手段の空気抵抗が小さいので送風動力を低減できるとともに、設備コストやランニングコストをかけずに空気中のミストを効率よく捕集して回収することができるミスト回収装置を提供することを目的とする。
【課題を解決するための手段】
【０００７】
本発明の請求項１は前記目的を達成するために、多湿空気を送風するダクト内にミスト捕集手段を設けて、前記多湿空気中のミストを捕集し、捕集したミストを回収するミスト回収装置において、前記ミスト捕集手段は、前記ダクトの軸心方向に回転自在に設けられた一本の回転軸に複数のプロペラが隣接して並列支持されるとともに、隣接するプロペラの羽根同士が前記軸心方向から見て前記回転軸の周方向にズレた状態で支持されることを特徴とする。
【０００８】
請求項１によれば、ミスト回収装置においてダクト内に送風される空気がミスト捕集手段であるプロペラと接触すると、空気中のミストがプロペラの羽根に付着するとともに、プロペラは自由回転する回転軸に固定されているため、送風された空気の流れに従って回転する。これにより、プロペラで空気中のミストを捕集することができるとともに、プロペラとの接触により発生する空気の圧力損失を大幅に抑えることができるので、送風に多くの設備コスト及びランニングコストをかけずに、空気中のミストを捕集できる。
【０００９】
ミスト捕集手段として設けられた複数のプロペラは隣接するプロペラの羽根同士をズラして配置されている。これにより、ダクト内を流れる空気との接触面積を大きくできる上、接触による空気抵抗を最小限に抑えることができるので、少ない空気抵抗で高い捕集効率を備えることができる。なお、隣接するプロペラの羽根同士は、前記軸心方向から見て重なり合わないようにズレていることが好ましい。これにより、接触による空気抵抗を低減するとともに、送風される空気との接触面積をさらに大きくすることができる。
【００１０】
こうして付着したミストは、プロペラの回転で発生する遠心力によりプロペラの羽根から外方向に吹き飛ばされる。このため、吹き飛ばされたミストをミスト回収貯留手段で回収して貯留し、ミスト排出手段でダクト外へ排出することができる。これにより、ミストを効率よく回収して排出できる上、プロペラには付着したミストが残存しにくいため、ミストに対して高い捕集効率を維持することができる。
【００１１】
なお、隣接するプロペラの羽根同士は、前記軸心方向から見て重なり合わないようにズレているとともに、プロペラは前記ダクトの垂直部位置に水平に設けられるとともに、前記プロペラの羽根は先端部が下方へ折曲していることをが好ましい。これにより、プロペラの回転による遠心力が小さくても、付着したミストをプロペラの羽根から滴下させることができるので、プロペラからミストを効率よく回収することができる。
【発明の効果】
【００１２】
以上説明したように本発明に係るミスト回収装置によれば、ダクト内に複数のプロペラを一本の軸に並列するともに、隣接するプロペラ同士の羽根をズラして設置することにより、送風された空気の接触による空気抵抗を低減し、かつ空気中のミストに対して高い捕集及び回収効率を備えることができる。
【発明を実施するための最良の形態】
【００１３】
以下添付図面に従って本発明に係るミスト回収装置の好ましい実施の形態について詳説する。
【００１４】
図１は、本発明の実施の形態であるミスト回収装置１０の概略構成を示した側面断面図であり、ダクト内の２箇所にプロペラを設けた一例である。なお、図中の白色矢印は空気の流れを示している。
【００１５】
図１に示すように、ミスト回収装置１０は、主にダクト１２と、ブロア１４と、第１及び第２のプロペラ部１６，１８とで構成される。
【００１６】
ダクト１２は屈折した箱状の部材であり、排気側に設置されたブロア１４の吸引により吸気口２０から空気が取り込まれて排気口２２から排気される。なお、ダクト１２は屈折した形状に限定されるものではなく、直線状でもよい。
【００１７】
第１のプロペラ部１６は吸気口２０の近傍に、そして第２のプロペラ部１８は第１のプロペラ部１６と排気口２２との間に設けられる。第１及び第２のプロペラ部１６，１８の下方にはミスト回収溝２４が設けられ、捕集したミストを回収して貯留する。ミスト回収溝２４の底部にはミスト抜取弁２６が設置され、ミスト抜取弁２６を定期的に開成することにより、ミスト回収溝２４に貯留されたミストをダクト１２から排出する。
【００１８】
ミスト捕集手段である第１及び第２のプロペラ部１６，１８は、４個のプロペラ２８Ａ，２８Ｂ，２８Ｃ，２８Ｄを１本の回転軸３０に並列して固定するとともに、回転軸３０はダクト１２内面に固定された２本の軸受け３２，３２によって自由回転可能な状態に支持される。なお、第１のプロペラ部１６ではプロペラ２８の羽根が水平になるようにダクト１２内に設置され、かつ各プロペラ２８Ａ，２８Ｂ，２８Ｃ，２８Ｄの羽根は先端部が下方へ折曲した形状を有しているものが使用される。
【００１９】
図２は、本発明の実施の形態であるミスト回収装置１０における第２のプロペラ部１８を回転軸３０方向から見た断面図である。
【００２０】
図２に示すように、各プロペラ２８Ａ，２８Ｂ，２８Ｃ，２８Ｄは２枚の羽根で構成され、隣接するプロペラ２８Ａ，２８Ｂ，２８Ｃ，２８Ｄ同士の羽根は、重なり合わないようにズレた状態で回転軸３０に配置されて固定される。なお、第１のプロペラ部１６における各プロペラ２８Ａ，２８Ｂ，２８Ｃ，２８Ｄの配置は、上述した第２のプロペラ部１８の配置と同様である。
【００２１】
次に、上述した本発明の実施の形態であるミスト回収装置１０の作用について説明する。
【００２２】
ミスト回収装置１０において、ブロア１４の吸引によって吸気口２０から取り込まれてダクト１２内に送風された空気は、第１及び第２のプロペラ部１６，１８を通過して、排気口２２から排気される。第１及び第２のプロペラ部１６，１８を通過する際、送風された空気は各プロペラ２８Ａ，２８Ｂ，２８Ｃ，２８Ｄ…と接触して、空気中のミストがプロペラ２８の羽根に付着する。これにより、空気中のミストを第１及び第２のプロペラ部１６，１８に設けられた各プロペラ２８Ａ，２８Ｂ，２８Ｃ，２８Ｄ…で捕集することができる。
【００２３】
図２に示すように、第１及び第２のプロペラ部１６，１８において、隣接するプロペラ２８Ａ，２８Ｂ，２８Ｃ，２８Ｄ同士はお互いの羽根の位置が軸心方向から見て重なり合わないようにズレた状態で回転軸３０に配置されているため、第１及び第２のプロペラ部１６，１８における空気の接触面積を大きくすることができる。また、羽根のズレにより通過する空気の経路が形成されるため、送風時の空気抵抗を最小限に抑えることができる。したがって、第１及び第２のプロペラ部１６，１８では接触による空気抵抗を小さくするとともに、高い捕集効率を有することができる。
【００２４】
また、第１及び第２のプロペラ部１６，１８では回転軸３０，３０が自由回転するように軸受け３２，３２…に支持されているので、送風される空気の流れに従ってプロペラ２８Ａ，２８Ｂ，２８Ｃ，２８Ｄが回転する。このため、送風された空気がプロペラ２８と接触して発生する空気抵抗を大幅に低減することができる。これにより、送風の駆動源であるブロア１４の吸引力を大きくする必要がなくなるため、ダクト１２内の送風にかかる設備コスト及びランニングコストを抑えることができる。
【００２５】
こうして羽根に付着したミストは、プロペラ２８の回転で発生した遠心力によりプロペラ２８の外方向へ吹き飛ばされる。これにより、付着したミストをプロペラ２８から速やかに除去することができる。
【００２６】
第１のプロペラ部１６において、各プロペラ２８Ａ，２８Ｂ，２８Ｃ，２８Ｄが水平に設置されるとともに、羽根の先端部を下方へ折曲させることにより、遠心力が少ない状態でも付着したミストを羽根から下方に設けられたミスト回収溝２４，２４へ速やかに滴下させることができる。これにより、プロペラ２８の羽根から効率よくミストを回収することができるとともに、プロペラ２８の羽根に残存するミストの量を少なくできるので、空気中のミストに対する高い捕集効率を維持することができる。
【００２７】
なお、上述したミスト回収装置１０において、各部材及び装置の個数、形状、材質などは特に限定するものではない。
【００２８】
第１及び第２のプロペラ部１６，１８において２枚の羽根を有するプロペラ２８を４個設けたが、特に限定するものではない。効率よくミストを付着させるとともに、送風した空気との接触による空気抵抗を低減できればよい。
【図面の簡単な説明】
【００２９】
【図１】本発明の実施の形態であるミスト回収装置の概略構成を示した側面断面図
【図２】本発明の実施の形態であるミスト回収装置における第２のプロペラ部を回転軸方向から見た断面図
【符号の説明】
【００３０】
１０…ミスト回収装置、１２…ダクト、１４…ブロア、１６…第１のプロペラ部、１８…第２のプロペラ部、２０…吸気口、２２…排気口、２４…ミスト回収溝、２６…ミスト抜取弁、２８Ａ，２８Ｂ，２８Ｃ，２８Ｄ…プロペラ、３０…回転軸、３２…軸受け
【図１】
2005087852.tif 000003
【図２】
2005087852.tif 000004